【手続補正書】
【提出日】平成23年2月2日(2011.2.2)
【手続補正１】
【補正対象書類名】明細書
【補正対象項目名】００５６
【補正方法】変更
【補正の内容】
【００５６】
このアセタール化反応は、一般的に、強い無機または有機触媒酸の添加を必要とする。触媒酸の例は、塩酸、硫酸、リン酸およびｐ−トルエンスルホン酸である。例えばペルフルオロアルキルスルホン酸および他のペルフルオロ活性化酸（ｐｅｒｆｌｕｏｒｏ−ａｃｔｉｖａｔｅｄ ａｃｉｄｓ）などの他の強酸も有用である。酸の量は、プロトン化を有効に引き起こす量であるが、アセタール基の望ましくない加水分解を引き起こすことにより最終生成物を著しく変化させない量である。アセタール化の反応温度は、アルデヒドの種類および所望の置換の程度に依存する。アセタール化の反応温度は、０℃乃至、もし当てはまるなら、溶剤の沸点である。この反応には、有機溶剤、および、水と有機溶剤の混合物が使用される。例えば、好適な有機溶剤は、アルコール（例えば、メタノール、エタノール、ブタノールおよびグリコールエーテル）、環状エーテル（例えば１，４−ジオキサン）、および双極性非プロトン性溶剤（例えばＮ，Ｎ−ジメチルホルムアミド、Ｎ−メチルピロリドンまたはジメチルスルホキシド）である。アセタール化が、有機溶剤中または有機溶剤と水の混合物中で実施される場合には、原料のポリビニルアルコールが完全に溶解しなかった場合でも、反応生成物は往々にして溶剤中に残る。有機溶剤中への原料のポリビニルアルコールの不完全な溶解は、再現性のない転化率および異なる生成物をもたらすことがあるという１つの欠点である。ポリビニルアルコールの完全な溶解を達成し、アセタール化の結果として再現性のある生成物を得るには、水または有機溶剤と水の混合物を使用すべきである。様々なアセタール化剤の添加順序は、往々にして、重要ではなく、異なる調製手順から同等の最終生成物が得られる。最終生成物を固形分として単離するために、ポリマー溶液を、激しく攪拌しながら非溶媒中に導入し、濾過し、乾燥させる。ポリマーに対する非溶媒としては水が特に好適である。
【手続補正２】
【補正対象書類名】明細書
【補正対象項目名】００５９
【補正方法】変更
【補正の内容】
【００５９】
本発明における第１のポリマーバインダーとして様々なフェノール系樹脂も使用でき、かかるフェノール系樹脂としては、ノボラック樹脂、例えばフェノールとホルムアルデヒドの縮合ポリマー、ｍ−クレゾールとホルムアルデヒドの縮合ポリマー、ｐ−クレゾールとホルムアルデヒドの縮合ポリマー、ｍ−／ｐ−混合クレゾールとホルムアルデヒドの縮合ポリマー、フェノールとクレゾール（ｍ−，ｐ−またはｍ−／ｐ−混合物）とホルムアルデヒドの縮合ポリマー、およびピロガロールとアセトンの縮合コポリマーが挙げられる。さらに、側鎖にフェノール基を含む化合物を共重合させることにより得られるコポリマーも使用できる。かかるポリマーバインダーの混合物も使用できる。
【手続補正３】
【補正対象書類名】明細書
【補正対象項目名】００６１
【補正方法】変更
【補正の内容】
【００６１】
上記の第１のポリマーバインダーの特定の混合物を使用でき、かかる混合物としては、１種もしくは２種以上のポリ（ビニルアセタール）と１種もしくは２種以上のフェノール系樹脂との混合物が挙げられる。例えば、１種もしくは２種以上のポリ（ビニルアセタール）と１種もしくは２種以上のノボラックもしくはレゾール樹脂（またはノボラックおよびレゾール樹脂）との混合物を使用できる。
【手続補正４】
【補正対象書類名】明細書
【補正対象項目名】００９８
【補正方法】変更
【補正の内容】
【００９８】
好適なＩＲ色素の一例としては、アゾ色素、スクアリリウム色素、クロコネート色素、トリアリールアミン色素、チアゾリウム色素、インドリウム色素、オキソノール色素、オキサゾリウム色素、シアニン色素、メロシアニン色素、フタロシアニン色素、インドシアニン色素、インドトリカルボシアニン色素、ヘミシアニン色素、ストレプトシアニン色素、オキサトリカルボシアニン色素、チオシアニン色素、チアトリカルボシアニン色素、メロシアニン色素、クロプトシアニン色素、ナフタロシアニン色素、ポリアニリン色素、ポリチオフェン色素、カルコゲノピリロアリーリデン及びビス（カルコゲノピリロ）ポリメチン色素、オキシインドリジン色素、ピリリウム色素、ピラゾリンアゾ色素、オキサジン色素、ナフトキノン色素、アントラキノン色素、キノンイミン色素、アリールメチン色素、ポリメチン色素、スクアリン色素、オキサゾール色素、クロコニン色素、ポルフィリン色素、及び前記色素の部類の任意の置換形態又はイオン形態が挙げられる。好適な色素は、例えば米国特許第４，９７３，５７２号明細書（ＤｅＢｏｅｒ）、及び同第５，２０８，１３５号明細書（Ｐａｔｅｌ他）、同第５，２４４，７７１号明細書（Ｊａｎｄｒｕｅ Ｓｒ．他）、及び同第５，４０１，６１８号明細書（Ｃｈａｐｍａｎ他）、及び欧州特許出願公開第０ ８２３ ３２７号明細書（Ｎａｇａｓａｋａ他）に開示されている。
【手続補正５】
【補正対象書類名】明細書
【補正対象項目名】０１０１
【補正方法】変更
【補正の内容】
【０１０１】
低分子量ＩＲ吸収色素に加えて、ポリマーに結合されたＩＲ色素部分を使用することもできる。さらに、ＩＲ色素カチオンを使用することができ、すなわち、このカチオンは、カルボキシ、スルホ、又はホスホノ基を側鎖内に含むポリマーとイオン相互作用する色素塩のＩＲ吸収部分である。
【手続補正６】
【補正対象書類名】特許請求の範囲
【補正対象項目名】全文
【補正方法】変更
【補正の内容】
【特許請求の範囲】
【請求項１】
ａ．フェノール系樹脂またはポリ（ビニルアセタール）を含む、水性アルカリ性現像液に可溶性のポリマーバインダー、および
ｂ．塩基性の窒素含有有機化合物を含む現像性向上組成物、
を含む輻射線感受性組成物。
【請求項２】
前記ポリマーバインダーが、下記構造（ＰＶＡｃ）：
【化１】
2010532488.tif 000001
（ここで、ＲおよびＲ’は独立に水素またはアルキルもしくはハロ基であり、Ｒ2 は置換もしくは非置換のフェノール、ナフトールもしくはアントラセノール基である）
により表される反復単位を含むポリ（ビニルアセタール）を含む、請求項１に記載の輻射線感受性組成物。
【請求項３】
前記現像性向上組成物が、下記構造（ＩＩ）：
【化２】
2010532488.tif 000002
（ここで、ｓとｖの和が３であることを条件として、ｓは０，１または２であり、ｖは１〜３であり、ｔは１〜６であり、
ｓが１である場合に、Ｒ7 は水素であるか、あるいはアルキル、アルキルアミン、シクロアルキル、ヘテロシクロアルキル、アリール、アリールアミンまたはヘテロアリール基であり、ｓが２である場合に、複数のＲ7 基は、同じまたは異なるアルキル、アルキルアミン、シクロアルキル、ヘテロシクロアルキル、アリール、アリールアミンまたはヘテロアリール基であることができ、あるいは、２個のＲ7 基が窒素原子と一緒になって置換もしくは非置換の複素環式環を形成していてもよく、
Ｒ8 およびＲ9 は独立に水素またはアルキル基である）
により表される１種または２種以上の塩基性の窒素含有化合物を含む、請求項１または２に記載の輻射線感受性組成物。
【請求項４】
前記塩基性の窒素含有有機化合物のうちの１種または２種以上と１種または２種以上の酸性の現像性向上化合物を含む、請求項１〜３のいずれか一項に記載の輻射線感受性組成物。
【請求項５】
前記塩基性の窒素含有有機化合物が、２５℃で液体であるか、あるいは３００℃を超える沸点とｎ−ブチルアセテートに対して０．０１未満の蒸発速度を有する、請求項１〜４のいずれか一項に記載の輻射線感受性組成物。
【請求項６】
基材を含み、当該基材上に、請求項１〜５のいずれか一項に記載の輻射線感受性組成物を含む画像形成性層を有するポジ型画像形成性要素。
【請求項７】
Ａ）請求項６に記載のポジ型画像形成性要素を像様露光して露光領域および非露光領域をもたらすこと、および
Ｂ）前記像様露光された要素を現像して露光領域のみを除去すること、
を含む印刷版の製造方法。